(57)【特許請求の範囲】
【請求項１】
長筒形状の挿入部と、
該挿入部に挿通され、一端が該挿入部の先端部に固定されて先端部を湾曲するための操作ワイヤーと、
前記挿入部に挿通され、一端が該挿入部の先端部に固定された光ファイバーと、
前記挿入部の後端を保持する挿入部保持ハンドルと、
前記操作ワイヤーの他端を保持するスライド片を内側に保持し、前記挿入部保持ハンドルをスライド自在に保持する操作ワイヤー保持ハンドルとを備える体内診断装置の操作ハンドル装置であって、
前記挿入部保持ハンドルに、前記光ファイバーを内筒に固定する長筒状のガイド筒を前記長筒形状の挿入部が延びる方向に向けて固定することを特徴とする操作ハンドル装置。
【請求項２】
長筒形状の挿入部と、
該挿入部に挿通され、一端が該挿入部の先端部に固定されて先端部を湾曲するための操作ワイヤーと、
前記挿入部に挿通され、一端が該挿入部の先端部に固定された光ファイバーと、
前記挿入部の後端を保持する挿入部保持ハンドルと、
前記操作ワイヤーの他端を保持するスライド片を内側に保持し、前記挿入部保持ハンドルをスライド自在に保持する操作ワイヤー保持ハンドルとを備える体内診断装置の操作ハンドル装置であって、
前記挿入部保持ハンドルが、前記光ファイバーを内筒に固定する長筒状のガイド筒と、該ガイド筒を保持して前記挿入部保持ハンドルの後端の筒開放部を覆う後端キャップ部とを備え、該後端キャップ部に前記ガイド筒を前記長筒形状の挿入部が延びる方向に向けて固定することを特徴とする操作ハンドル装置。
【請求項３】
前記光ファイバーが該光ファイバー外周部を覆うファイバー被覆チューブにより被覆され、前記ガイド筒が前記ファイバー被覆チューブを固定することを特徴とする請求項１または２に記載の操作ハンドル装置。
【請求項４】
前記光ファイバーが、照明光を発生する光源装置からの光を導く光供給用ファイバーと、挿入部の先端部からの光を接眼部に導く光受光用ファイバーとを含むことを特徴とする請求項１から３のいずれかに記載の操作ハンドル装置。
【請求項５】
前記光ファイバーが、焼灼用のレーザ光を発生する光源装置からの光を導く焼灼用ファイバーであることを特徴とする請求項１から３の何れかに記載の操作ハンドル装置。
【発明の詳細な説明】
【技術分野】
【０００１】
本発明は、人体内に長筒状の挿入部を挿入して操作する内視鏡等の体内診断装置の操作ハンドル装置に係り、特に、長筒状の挿入部に挿通させる光ファイバーの折曲による破損を防止し且つ操作が容易な体内診断装置の操作ハンドル装置に関する。
【背景技術】
【０００２】
一般に先端が湾曲する長筒状の挿入部を操作する内視鏡等の体内診断装置の操作ハンドル装置は、例えば、下記の特許文献１に記載され、この特許文献１には、長筒状の挿入部に先端を湾曲させるための操作ワイヤー及びレーザ光を通す光ファイバーを挿通させ、長筒状の挿入部の先端部において光ファイバーを通した光を照射する構造が記載されている。
【先行技術文献】
【特許文献】
【０００３】
【特許文献１】特開平１１−１８８１０７号公報
【発明の概要】
【発明が解決しようとする課題】
【０００４】
特許文献１に記載された操作ハンドル装置は、挿入部の後端を保持する筒状の第１の部材と、操作ワイヤーの後端を保持する筒状の第２の部材とを備え、第１の部材と第２の部材とを相対的に間隔を広げたり狭めたりする離間操作によって、挿入部の先端を湾曲させるように構成されている。
【０００５】
そして、この操作ハンドル装置は、光ファイバーの先端部が、挿入部先端の先端電極に接着剤等で固定されていて、挿入部内を通り、第１の部材に取り付けられたガイドチューブから移動可能に延出し、第２の部材内において移動可能になっており、さらに、第２の部材の内側に取り付けられた第２のより大きなプラスチックガイドチューブの中を上記光ファイバーと上記ガイドチューブが貫走しており、これによって、ガイドチューブ及び光ファイバーは長手方向に摺動できるようになっている。この従来技術による操作ハンドル装置は、光ファイバーが、第１の部材と第２の部材の離間操作によって、操作ハンドル装置内で圧縮又は引き延ばされて摺動され、第２の部材から光ファイバーが出入りする出入口部分が摩耗すると共に光ファイバーが出入りするために操作者の体に触れたり、手の動きによって特に折れ曲がりやすい。そして、一旦、折れてしまうと、長手方向に摺動が困難となり、湾曲操作が繰り返されることにより、光ファイバーが破損する可能性があり、また最悪の場合には、挿入部の先端を湾曲した時に光ファイバーが座屈してしまって体内で湾曲が戻らなくなる可能性があるというという課題があった。
【０００６】
また、従来技術による内視鏡の場合、所望の体内部位を観察するための湾曲機構や空気等の流体を供給するための流体切り替え機構を備えるため操作ハンドル装置が大型重量化し、また操作ハンドル装置を操作者が手のひらを上方向に向けた左手に持ち、挿入部保持ハンドルの湾曲ノブの操作によって挿入部の先端を湾曲させる操作を必要とし、右利きの操作者にとっては不慣れな左手親指による操作のために微細な湾曲角度の調整が困難であるという課題もあった。
【０００７】
このような課題に鑑みて、本発明は、先端の湾曲操作が容易であると共に光ファイバーの破損を防止することができる体内診断装置の操作ハンドル装置を提供することを目的とする。
【課題を解決するための手段】
【０００８】
前記目的を達成するために本発明は、長筒形状の挿入部と、挿入部に挿通され、一端が挿入部の先端部に固定されて先端部を湾曲するための操作ワイヤーと、挿入部に挿通され、一端が挿入部の先端部に固定された光ファイバーと、挿入部の後端を保持する挿入部保持ハンドルと、操作ワイヤーの他端を保持するスライド片を内壁に固着し、挿入部保持ハンドルをスライド自在に保持する操作ワイヤー保持ハンドルとを備える体内診断装置の操作ハンドル装置であって、挿入部保持ハンドルに、光ファイバーを内筒内に固定的に保持する長筒状のガイド筒を長筒形状の挿入部が延びる方向に向けて固定することを第１の特徴とする。
【０００９】
また、本発明は、長筒形状の挿入部と、挿入部に挿通され、一端が挿入部の先端部に固定されて先端部を湾曲するための操作ワイヤーと、挿入部に挿通され、一端が挿入部の先端部に固定された光ファイバーと、挿入部の後端を保持する挿入部保持ハンドルと、操作ワイヤーの他端を保持するスライド片を内壁に固着し、挿入部保持ハンドルをスライド自在に保持する操作ワイヤー保持ハンドルとを備える体内診断装置の操作ハンドル装置であって、挿入部保持ハンドルが、光ファイバーを内筒内に固定的に保持する長筒状のガイド筒と、ガイド筒を保持して挿入部保持ハンドルの後端の筒開放部を覆う後端キャップ部とを備え、後端キャップ部にガイド筒を長筒形状の挿入部が延びる方向に向けて固定することを第２の特徴とする。
【００１０】
また、本発明は、前記第１又は第２の特徴の操作ハンドル装置において、光ファイバーが光ファイバー外周部を覆うファイバー被覆チューブにより被覆され、ガイド筒がファイバー被覆チューブを固定的に保持することを第３の特徴とする。
【００１１】
さらに、本発明は、前記第１から第３の何れかの特徴の操作ハンドル装置において、光ファイバーが、照明光を発生する光源装置からの光を導く光供給用ファイバーと、挿入部の先端部からの光を接眼部に導く光受光用ファイバーとを含むことを第４の特徴とする
【００１２】
さらに、本発明は、前記第１から第３の何れかの特徴の操作ハンドル装置において、光ファイバーが、焼灼用のレーザ光を発生する光源装置からの光を導く焼灼用ファイバーであることを第５の特徴とする。
【発明の効果】
【００１３】
したがって、上記説明から、本発明による体内診断装置の操作ハンドル装置によれば、挿入部の先端に操作ワイヤーの先端および光ファイバーの先端が固定されると共に、挿入部保持ハンドルに挿入部の後端及び光ファイバーが固定されていて、挿入部保持ハンドル内において、スライド片を介して操作ワイヤー保持ハンドルに保持された操作ワイヤーが移動するだけの構造となっていることから、挿入部保持ハンドルに固定されて延びる光ファイバーが、先端部を湾曲操作しても、挿入部保持ハンドル内で圧縮されたり、引き延ばされたり、摺動することがなく、安定して挿入部保持ハンドル内に収まるため、出口部分での摩耗や、操作者操作の邪魔にならず手の動きによって折れ曲がることを軽減できる効果を奏する。
【図面の簡単な説明】
【００１４】
【図１】本発明の実施形態による操作ハンドル装置を示す外観図。
【図２】本実施形態による操作ハンドル装置の内部構造を示す断面図。
【図３】本実施形態による操作ハンドル装置の光ファイバー配置状態を示す断面図。
【図４】本実施形態による操作ハンドル装置のスライド片を説明するための図。
【図５】本発明による光ファイバー保持構造の他の実施形態を示す図。
【発明を実施するための形態】
【００１５】
以下、本発明の実施形態による体内診断装置の操作ハンドル装置を図面を参照して詳細に説明する。本実施形態による操作ハンドル装置２０は、例えば内視鏡等の体内診断装置の操作を行うためのものであって、図１（ａ）に示すように、挿入部１の先端部１ａを湾曲するために挿入部１に挿通されて先端が挿入部１の先端部１ａに取り付けられる操作ワイヤー４の後端をスライド片１５によって保持する筒状の操作ワイヤー保持ハンドル２１と、長筒状の挿入部１の後端を保持すると共に操作ワイヤー保持ハンドル２１に対する挿入部１の長さ方向の間隔を相対的に移動するための挿入部保持ハンドル２２とを備える。
【００１６】
この挿入部保持ハンドル２２は、操作者側の後端部に、光源装置１００からのレーザ光あるいは照明光を導く光供給用ファイバー１４及び操作者が目視確認するための接眼部１１に接続された光受光用ファイバー１８を被覆する可撓性のファイバー被覆チューブ１６と、図示しない電極等に導通する導線１３ｃに電力を供給したり、体内電位差を測定するために電源装置２００に電源ケーブル１３ａを介して電気的接続される電源コネクタ１３ｂとが挿入される後端キャップ部３０を有し、光源装置１００からのレーザ光あるいは照明光を光供給用ファイバー１４を介して挿入部１の先端部１ａから光を照射し、該先端部１ａで受光した反射光（画像等）を受光用ファイバー１８を介して操作者に目視可能とすると共に、図１（ｂ）に示すように、前記操作ワイヤー保持ハンドル２１に対して挿入部保持ハンドル２２との間隔を広げるように操作（操作者が操作ワイヤー保持ハンドル２１を持った状態で挿入部保持ハンドル２２を図中の矢印Ａ方向に移動させる操作）を行うことによって、操作ワイヤー４の先端が取り付けられた挿入部１の先端部１ａが湾曲するように構成されている。本実施形態においては、矢印Ａ方向への移動により挿入部１の先端部が湾曲する例を説明したが、逆に操作ワイヤー保持ハンドル２２を矢印と反対方向に移動してもよく、さらに、挿入部１を筒状としたが、これに限られず、例えばマルチルーメンチューブを用いてもよい。
【００１７】
本実施形態による操作ハンドル装置２０は、断面を表す図２（ａ）、（ｂ）に示すように、操作ワイヤー４が固定されたスライド片１５を内側に保持する円筒状の操作ワイヤー保持ハンドル２１及び、挿入部１が固定され、スライド片１５が軸方向にスライド可能となるよう後端側から中間部分に向かって細長く形成されたスリット８ａを有し操作ワイヤー保持ハンドル２１にスライド自在に嵌合されるスライド筒部８と、操作者が指をかけて操作するための外周部に突出した指掛け部９と、スライド筒部８の後端側の円筒開放部を覆う後端キャップ部３０とからなる挿入部保持ハンドル２２から構成される。そして、このように構成された操作ハンドル装置２０は、操作者が前記操作ワイヤー保持ハンドル２１を把持した状態で、挿入部保持ハンドル２２の指掛け部９を操作ワイヤー保持ハンドル２１との間隔を広げるように先端部１ａ方向（図２中上方向）にスライドさせることによって、図２（ｂ）に示すように、スライド筒部８が図中の上方向に移動するように構成されている。
【００１８】
前記スライド片１５は、図４（ｂ）及び（ｃ）に示すように、中央に操作ワイヤー４を取り付けるための孔１５ｃが開口された概略板形状を成し、板状両端に段部１５ｂにより板幅を狭めた肉薄部１５ａが設けられ、この肉薄部１５ａが、図２（ａ）のＡ−Ａ断面を示す図４（ａ）に示すように、スライド筒部８のスリット８ａを通過すると共に、操作ワイヤー保持ハンドル２１の内筒に向かい合って溝状に設けられたガイドスリット２５に嵌合固着されている。このように構成された操作ハンドル装置は、操作ワイヤー保持ハンドル２１を保持した状態で、挿入部保持ハンドル２２の指掛け部９を図中上側に移動させることによって、操作ワイヤー保持ハンドル２１の内筒内をスライド筒部８が図中上方向にスライドするように構成されている。
【００１９】
前記挿入部保持ハンドル２２のスライド筒部８の後端部に被せられた本実施形態による後端キャップ部３０は、図２に示すように、光源装置１００からの光供給用ファイバー１４及び接眼部１１に接続された光受光用ファイバー１８を一体に被覆するファイバー被覆チューブ１６を操作ワイヤー保持ハンドル２１内に挿入するためのステンレス等からなるガイド筒１７と、電源装置２００から電源ケーブル１３ａを介して接続された電源コネクタ１３ｂとを挿入するための開口部を備え、ガイド筒１７は、後端キャップ部３０に形成された孔の内壁と接着剤により接着されると共に、筒内に挿通されるファイバー被覆チューブ１６とも接着剤によって接着される。このように構成することにより、光供給用ファイバー１４及び光受光用ファイバー１８は、ファイバー被覆チューブ１６及びガイド筒１７を介して挿入部保持ハンドル２２の後端側に固定されることになる。
【００２０】
また、この操作ハンドル装置は、図３（ａ）に示すように、挿入部保持ハンドル２２のスライド筒部８内部の位置でファイバー被覆チューブ１６から光供給用ファイバー１４及び光受光用ファイバー１８を露出するようにし、この光供給用ファイバー１４及び光受光用ファイバー１８を挿入部１に挿入し、この光供給用ファイバー１４及び光受光用ファイバー１８を挿入部１の先端に接着している。このため本実施形態による操作ハンドル装置は、光供給用ファイバー１４及び光受光用ファイバー１８が挿入部１の先端および挿入部保持ハンドル２２の後端側に固定されることになることから、挿入部１の先端部１ａを直線状にした状態（図３ａ）から図３（ｂ）に示すように、挿入部１の先端部１ａを湾曲させた状態においても、ファイバー被覆チューブ１６から光受光用ファイバー１８及び光供給用ファイバー１４の吐出位置と挿入部１への挿入位置との間隔Ｌは変化しない。従って、光受光用ファイバー１８及び光供給用ファイバー１４が、操作者が操作ハンドル装置を操作しても操作ハンドル装置から出入りしないため、ガイド筒１７付近での摩耗や、操作者の手の動きによって折れ曲がり、この折曲した状態において湾曲操作が繰り返されることによる、光受光用ファイバー１８及び光供給用ファイバー１４の折曲による破損を防止することができる。
【００２１】
また、本実施形態による内視鏡用の操作ハンドル装置は、患部を監視するための光ファイバーや湾曲する操作ワイヤーの湾曲を操作するためのものであるために小型軽量になり、右手の平を下向きに保持して右手親指によって操作することができ、容易に患部の観察や湾曲操作等を行うことができる。
【００２２】
また、本実施形態による操作ハンドル装置は、後端キャップ部３０にファイバー被覆チューブ１６を内部に挿入するためのガイド筒１７を配置し、ファイバー被覆チューブ１６の挿入方向を挿入部１の方向に向けることによって、操作者が操作ハンドル装置２０を回転させた場合であっても、光ファイバーが折曲することなく、光通過を維持しつつ折曲による破損を防止することができる。
【００２３】
なお、前述の実施形態においては、ファイバー被覆チューブ１６を案内する手段としてガイド筒１７を用いる例を説明したが、本発明はこれに限られるものではなく、図５に示すように、後方にネジ溝を有する筒状の突筒部４０ａを有する後端キャップ部４０と、該突筒部４０ａの外周に螺合するガイド筒５０ａを設け、該ガイド筒５０ａを突筒部４０ａにねじ込むことにより、ファイバー被覆チューブ１６を締めつけて突筒部４０ａに固定するガイド機構部５０とし、操作ワイヤー保持ハンドル２１に固定するように構成しても良い。なお、５０ｂはファイバー被覆チューブの折れ防止用の折れ止めゴムである。
なお、ガイド機構部５０に取り付けられる折れ止めゴム５０ｂは、ガイド筒１７に対しても嵌合する等して用いても良く、また折れ止めゴムを用いず、ガイド筒５０ａを延長する等、種々の変更が可能である。また、観察を必要としない、例えば筋肉焼灼用のハンドル装置として用いる場合には、光供給用ファイバー１４及び光受光用ファイバー１８に代えてレーザ光供給用ファイバーのみを用いてもよい。また、Ｐｈ測定や体内分泌物測定等の生理学検査用に用いることができる。
【符号の説明】
【００２４】
１      挿入部
１ａ    先端部
４      操作ワイヤー
８      スライド筒部
８ａ    スリット
９      指掛け部
１１    接眼部
１３ａ  電源ケーブル
１３ｂ  電源コネクタ
１３ｃ  導線
１４    光供給用ファイバー
１５    スライド片
１５ａ  肉薄部
１５ｂ  段部
１５ｃ  孔
１６    ファイバー被覆チューブ
１７    ガイド筒
１８    光受光用ファイバー
２０    操作ハンドル装置
２１    操作ワイヤー保持ハンドル
２２    挿入部保持ハンドル
２５    ガイドスリット
３０    後端キャップ部
４０    後端キャップ部
４０ａ    突筒部
５０ａ    ガイド筒
５０ｂ    折れ止めゴム
１００    光源装置
２００    電源装置
【図１】
0005687534.tif 000002
【図２】
0005687534.tif 000003
【図３】
0005687534.tif 000004
【図４】
0005687534.tif 000005
【図５】
0005687534.tif 000006